(57)【要約】【課題】  処理能力の比較的低い携帯端末であっても、トランジション効果を加える動画編集を実現する。【解決手段】  画像処理部１３１は、撮影した動画、あるいはネットワークを介してダウンロードした動画に対して、オリジナル動画の先頭フレーム、または最終フレームを元に段階的に動画が遷移していくトランジション動画を生成し、オリジナル動画に結合してトランジション効果を加えた動画を生成する。また、画像処理部１３１は、選択された第１の動画と第２の動画に対し、第１の動画の最終フレームと第２の動画の先頭フレームとを元に、段階的に動画が遷移していくトランジション動画を生成し、第１の動画とトランジション動画と第２の動画とを結合してトランジション効果を加えた動画を生成する。【選択図】  図２
2005117375.tif 000002
【特許請求の範囲】
【請求項１】
動画ファイルを再生する携帯端末において、
オリジナル動画を選択する選択手段と、
前記選択手段により選択されたオリジナル動画ファイルに対して、所定のフレームから、段階的な映像効果を付与した複数のフレームを生成するフレーム生成手段と、
前記フレーム生成手段により生成された複数のフレームを動画ファイルに変換する動画ファイル変換手段と、
前記オリジナル動画ファイルと前記動画ファイル変換手段により変換された動画ファイルとを結合する結合手段と
を具備することを特徴とする携帯端末。
【請求項２】
前記フレーム生成手段は、オリジナル動画ファイルの先頭フレームから、段階的な映像効果を付与した複数のフレームを生成することを特徴とする請求項１記載の携帯端末。
【請求項３】
前記フレーム生成手段は、オリジナル動画ファイルの最終フレームから、段階的な映像効果を付与した複数のフレームを生成することを特徴とする請求項１または２記載の携帯端末。
【請求項４】
前記選択手段は、少なくとも第１のオリジナル動画ファイルと第２のオリジナル動画ファイルとを選択し、
前記フレーム生成手段は、前記選択手段により選択された第１のオリジナル動画ファイルの最終フレームと第２のオリジナル動画ファイルの先頭フレームとから、段階的な映像効果を付与した複数のフレームを生成し、
前記動画ファイル変換手段は、前記フレーム生成手段により生成された複数のフレームを動画ファイルに変換し、
前記結合手段は、前記第１のオリジナル動画ファイルと、前記動画ファイル変換手段により変換された動画ファイルと、前記第２のオリジナル動画ファイルと順次を結合することを特徴とする請求項１ないし３のいずれかに記載の携帯端末。
【請求項５】
撮影手段を更に備え、
前記オリジナル動画ファイルは、前記撮影手段によって撮影されたものから生成されることを特徴とする請求項１ないし４のいずれかに記載の携帯端末。
【請求項６】
動画ファイルに段階的な映像効果を付与する動画編集方法において、
メモリに記憶されているオリジナル動画ファイルを読み出す読出ステップと、
この読出ステップにて読み出されたオリジナル動画ファイルの所定のフレームを選択する選択ステップと、
この選択ステップにて選択されたフレームから段階的な映像効果を付与した複数のフレームを生成する生成ステップと、
この生成ステップにて生成された複数のフレームを動画ファイルに変換する変換ステップと、
前記オリジナル動画ファイルと前記変換ステップにて変換された動画ファイルとを結合する結合ステップと
からなることを特徴とする動画編集方法。
【請求項７】
前記選択ステップは、前記オリジナル動画ファイルにおける所定のフレームとして、先頭フレーム、最終フレーム、若しくは双方のフレームを選択することを特徴とする請求項６記載の動画編集方法。
【請求項８】
前記メモリはオリジナル動画ファイルを複数記憶し、
前記選択ステップは、少なくとも２つのオリジナル動画ファイルからそれぞれ所定のフレームを選択し、
前記生成ステップは、それぞれの所定フレームから段階的な映像効果を付与した複数のフレームを生成し、
前記結合ステップは、前記少なくとも２つのオリジナル動画ファイルのうち、一方と他方との間に前記変換ステップにて変換された動画ファイルを結合することを特徴とする請求項６記載の動画編集方法。
【請求項９】
前記オリジナル動画ファイルは、カメラにて撮影されたものから生成されることを特徴とする請求項６記載の動画編集方法。
【請求項１０】
オリジナル動画ファイルを読み出す読出ステップと、
この読出ステップにて読み出されたオリジナル動画ファイルの所定のフレームを選択する選択ステップと、
この選択ステップにて選択されたフレームから段階的な映像効果を付与した複数のフレームを生成する生成ステップと、
この生成ステップにて生成された複数のフレームを動画ファイルに変換する変換ステップと、
前記オリジナル動画ファイルと前記変換された動画ファイルとを結合する結合ステップと
を含むことを特徴とする動画編集プログラム。
【請求項１１】
前記選択ステップは、前記オリジナル動画ファイルにおける所定のフレームとして、先頭フレーム、最終フレーム、若しくは双方のフレームを選択することを特徴とする請求項１０記載の動画編集プログラム。
【請求項１２】
前記選択ステップは、少なくとも２つのオリジナル動画ファイルからそれぞれ所定のフレームを選択し、
前記生成ステップは、それぞれの所定フレームから段階的な映像効果を付与した複数のフレームを生成し、
前記結合ステップは、前記少なくとも２つのオリジナル動画ファイルのうち、一方と他方との間に前記変換ステップにて変換された動画ファイルを結合することを特徴とする請求項１０記載の動画編集プログラム。
【発明の詳細な説明】
【技術分野】
【０００１】
本発明は、動画撮影、再生機能を有する携帯電話などでトランジション効果などを含む動画編集を実現する携帯端末、動画編集方法および動画編集プログラムに関する。
【背景技術】
【０００２】
従来より、動画編集として、画像の色合いを変化させたり、モザイクを加えたり、動画同士を結合する際に、前の動画から後の動画へと徐々に映像を変化させて切り替えるトランジション効果を加える技術が知られている（例えば特許文献１参照）。一般に、動画編集といえば、デジタルビデオカメラで撮影した動画がパーソナルコンピュータに取り込み、パーソナルコンピュータ上の動画編集ソフトウエアにより編集作業を行っていた。また、近年、カメラ付き携帯電話においても、自機にて撮影した動画や、インターネットなどのネットワークを介してダウンロードした動画を再生する機能を備えたものが提供されている。
【０００３】
【特許文献１】特開２００３−１１０９９５号公報
【発明の開示】
【発明が解決しようとする課題】
【０００４】
しかしながら、上述したカメラ付き携帯電話では、ＣＰＵなどの処理能力上、パーソナルコンピュータ上で行っていたような動画編集を行うのは困難であった。
【０００５】
そこで本発明は、処理能力の比較的低い携帯端末であっても、トランジション効果を加える動画編集を行うことができる携帯端末、動画編集方法および動画編集プログラムを提供することを目的とする。
【課題を解決するための手段】
【０００６】
上記目的達成のため、請求項１記載の発明による携帯端末は、動画ファイルを再生する携帯端末において、オリジナル動画を選択する選択手段と、前記選択手段により選択されたオリジナル動画ファイルに対して、所定のフレームから、段階的な映像効果を付与した複数のフレームを生成するフレーム生成手段と、前記フレーム生成手段により生成された複数のフレームを動画ファイルに変換する動画ファイル変換手段と、前記オリジナル動画ファイルと前記動画ファイル変換手段により変換された動画ファイルとを結合する結合手段と具備することを特徴とする。
【０００７】
また、好ましい態様として、例えば請求項２記載のように、請求項１記載の携帯端末において、前記フレーム生成手段は、オリジナル動画ファイルの先頭フレームから、段階的な映像効果を付与した複数のフレームを生成するようにしてもよい。
【０００８】
また、好ましい態様として、例えば請求項３記載のように、請求項１または２記載の携帯端末において、前記フレーム生成手段は、オリジナル動画ファイルの最終フレームから、段階的な映像効果を付与した複数のフレームを生成するようにしてもよい。
【０００９】
また、好ましい態様として、例えば請求項４記載のように、請求項１ないし３のいずれかに記載の携帯端末において、前記選択手段は、少なくとも第１のオリジナル動画ファイルと第２のオリジナル動画ファイルとを選択し、前記フレーム生成手段は、前記選択手段により選択された第１のオリジナル動画ファイルの最終フレームと第２のオリジナル動画ファイルの先頭フレームとから、段階的な映像効果を付与した複数のフレームを生成し、前記動画ファイル変換手段は、前記フレーム生成手段により生成された複数のフレームを動画ファイルに変換し、前記結合手段は、前記第１のオリジナル動画ファイルと、前記動画ファイル変換手段により変換された動画ファイルと、前記第２のオリジナル動画ファイルと順次を結合するようにしてもよい。
【００１０】
また、好ましい態様として、例えば請求項５記載のように、請求項１ないし４のいずれかに記載の携帯端末において、撮影手段を更に備え、前記オリジナル動画ファイルは、前記撮影手段によって撮影されたものから生成されるようにしてもよい。
【００１１】
また、上記目的達成のため、請求項６記載の発明による動画編集方法は、動画ファイルに段階的な映像効果を付与する動画編集方法において、メモリに記憶されているオリジナル動画ファイルを読み出す読出ステップと、この読出ステップにて読み出されたオリジナル動画ファイルの所定のフレームを選択する選択ステップと、この選択ステップにて選択されたフレームから段階的な映像効果を付与した複数のフレームを生成する生成ステップと、この生成ステップにて生成された複数のフレームを動画ファイルに変換する変換ステップと、前記オリジナル動画ファイルと前記変換ステップにて変換された動画ファイルとを結合する結合ステップとからなることを特徴とする。
【００１２】
また、好ましい態様として、例えば請求項７記載のように、請求項６記載の動画編集方法において、前記選択ステップは、前記オリジナル動画ファイルにおける所定のフレームとして、先頭フレーム、最終フレーム、若しくは双方のフレームを選択するようにしてもよい。
【００１３】
また、好ましい態様として、例えば請求項８記載のように、請求項６記載の動画編集方法において、前記メモリはオリジナル動画ファイルを複数記憶し、前記選択ステップは、少なくとも２つのオリジナル動画ファイルからそれぞれ所定のフレームを選択し、前記生成ステップは、それぞれの所定フレームから段階的な映像効果を付与した複数のフレームを生成し、前記結合ステップは、前記少なくとも２つのオリジナル動画ファイルのうち、一方と他方との間に前記変換ステップにて変換された動画ファイルを結合するようにしてもよい。
【００１４】
また、好ましい態様として、例えば請求項９記載のように、請求項６記載の動画編集方法において、前記オリジナル動画ファイルは、カメラにて撮影されたものから生成されてもよい。
【００１５】
また、上記目的達成のため、請求項１０記載の発明による動画編集プログラムは、オリジナル動画ファイルを読み出す読出ステップと、この読出ステップにて読み出されたオリジナル動画ファイルの所定のフレームを選択する選択ステップと、この選択ステップにて選択されたフレームから段階的な映像効果を付与した複数のフレームを生成する生成ステップと、この生成ステップにて生成された複数のフレームを動画ファイルに変換する変換ステップと、前記オリジナル動画ファイルと前記変換された動画ファイルとを結合する結合ステップとを含むことを特徴とする。
【００１６】
また、好ましい態様として、例えば請求項１１記載のように、請求項１０記載の動画編集プログラムにおいて、前記選択ステップは、前記オリジナル動画ファイルにおける所定のフレームとして、先頭フレーム、最終フレーム、若しくは双方のフレームを選択するようにしてもよい。
【００１７】
また、好ましい態様として、例えば請求項１２記載のように、請求項１０記載の動画編集プログラムにおいて、前記選択ステップは、少なくとも２つのオリジナル動画ファイルからそれぞれ所定のフレームを選択し、前記生成ステップは、それぞれの所定フレームから段階的な映像効果を付与した複数のフレームを生成し、前記結合ステップは、前記少なくとも２つのオリジナル動画ファイルのうち、一方と他方との間に前記変換ステップにて変換された動画ファイルを結合するようにしてもよい。
【発明の効果】
【００１８】
請求項１記載の発明によれば、選択手段により動画編集の対象となるオリジナル動画を選択し、フレーム生成手段により、選択されたオリジナル動画ファイルに対して、所定のフレームから、段階的な映像効果を付与した複数のフレームを生成し、動画ファイル変換手段により、前記生成された複数のフレームを動画ファイルに変換し、結合手段により、前記オリジナル動画ファイルと前記動画ファイル変換手段により変換された動画ファイルとを結合するようにしたので、処理能力の比較的低い携帯端末であっても、トランジション効果を加える動画編集を行うことができるという利点が得られる。
【００１９】
また、請求項２記載の発明によれば、前記フレーム生成手段により、オリジナル動画ファイルの先頭フレームから、段階的な映像効果を付与した複数のフレームを生成するようにしたので、処理能力の比較的低い携帯端末であっても、トランジション効果を加える動画編集を行うことができるという利点が得られる。
【００２０】
また、請求項３記載の発明によれば、前記フレーム生成手段により、オリジナル動画ファイルの最終フレームから、段階的な映像効果を付与した複数のフレームを生成するようにしたので、処理能力の比較的低い携帯端末であっても、トランジション効果を加える動画編集を行うことができるという利点が得られる。
【００２１】
また、請求項４記載の発明によれば、前記選択手段により、少なくとも第１のオリジナル動画ファイルと第２のオリジナル動画ファイルとを選択し、前記フレーム生成手段により、前記選択手段により選択された第１のオリジナル動画ファイルの最終フレームと第２のオリジナル動画ファイルの先頭フレームとから、段階的な映像効果を付与した複数のフレームを生成し、前記動画ファイル変換手段により、前記フレーム生成手段により生成された複数のフレームを動画ファイルに変換し、前記結合手段により、前記第１のオリジナル動画ファイルと、前記動画ファイル変換手段により変換された動画ファイルと、前記第２のオリジナル動画ファイルと順次を結合するようにしたので、処理能力の比較的低い携帯端末であっても、トランジション効果を加える動画編集を行うことができるという利点が得られる。
【００２２】
また、請求項５記載によれば、前記オリジナル動画ファイルを、前記撮影手段によって撮影されたものから生成するようにしたので、処理能力の比較的低い携帯端末であっても、トランジション効果を加える動画編集を行うことができるという利点が得られる。
【００２３】
また、請求項６記載によれば、読出ステップにより、メモリに記憶されているオリジナル動画ファイルを読み出し、選択ステップにより、この読出ステップにて読み出されたオリジナル動画ファイルの所定のフレームを選択し、生成ステップにより、この選択ステップにて選択されたフレームから段階的な映像効果を付与した複数のフレームを生成し、変換ステップにより、この生成ステップにて生成された複数のフレームを動画ファイルに変換し、結合ステップにより、前記オリジナル動画ファイルと前記変換ステップにて変換された動画ファイルとを結合するようにしたので、処理能力の比較的低い携帯端末であっても、トランジション効果を加える動画編集を行うことができるという利点が得られる。
【００２４】
また、請求項７記載の発明によれば、前記選択ステップで、前記オリジナル動画ファイルにおける所定のフレームとして、先頭フレーム、最終フレーム、若しくは双方のフレームを選択するようにしたので、処理能力の比較的低い携帯端末であっても、トランジション効果を加える動画編集を行うことができるという利点が得られる。
【００２５】
また、請求項８記載の発明によれば、前記メモリはオリジナル動画ファイルを複数記憶し、前記選択ステップにより、少なくとも２つのオリジナル動画ファイルからそれぞれ所定のフレームを選択し、前記生成ステップにより、それぞれの所定フレームから段階的な映像効果を付与した複数のフレームを生成し、前記結合ステップにより、前記少なくとも２つのオリジナル動画ファイルのうち、一方と他方との間に前記変換ステップにて変換された動画ファイルを結合するようにしたので、処理能力の比較的低い携帯端末であっても、トランジション効果を加える動画編集を行うことができるという利点が得られる。
【００２６】
また、請求項９記載の発明によれば、前記オリジナル動画ファイルを、カメラにて撮影されたものから生成するようにしたので、処理能力の比較的低い携帯端末であっても、トランジション効果を加える動画編集を行うことができるという利点が得られる。
【００２７】
また、請求項１０記載の発明によれば、オリジナル動画ファイルを読み出す読出ステップと、この読出ステップにて読み出されたオリジナル動画ファイルの所定のフレームを選択する選択ステップと、この選択ステップにて選択されたフレームから段階的な映像効果を付与した複数のフレームを生成する生成ステップと、この生成ステップにて生成された複数のフレームを動画ファイルに変換する変換ステップと、前記オリジナル動画ファイルと前記変換された動画ファイルとを結合する結合ステップとを含むようにしたので、処理能力の比較的低い携帯端末であっても、トランジション効果を加える動画編集を行うことができるという利点が得られる。
【００２８】
また、請求項１１記載の発明によれば、前記選択ステップは、前記オリジナル動画ファイルにおける所定のフレームとして、先頭フレーム、最終フレーム、若しくは双方のフレームを選択するようにしたので、処理能力の比較的低い携帯端末であっても、トランジション効果を加える動画編集を行うことができるという利点が得られる。
【００２９】
また、請求項１２記載の発明によれば、前記選択ステップにより、少なくとも２つのオリジナル動画ファイルからそれぞれ所定のフレームを選択し、前記生成ステップにより、それぞれの所定フレームから段階的な映像効果を付与した複数のフレームを生成し、前記結合ステップにより、前記少なくとも２つのオリジナル動画ファイルのうち、一方と他方との間に前記変換ステップにて変換された動画ファイルを結合するようにしたので、処理能力の比較的低い携帯端末であっても、トランジション効果を加える動画編集を行うことができるという利点が得られる。
【発明を実施するための最良の形態】
【００３０】
以下、本発明の実施の形態を、カメラ付き携帯電話に適用した一実施例として、図面を参照して説明する。
【００３１】
Ａ．実施形態の構成
図１は、本発明の実施形態によるカメラ付き携帯電話の外観図（開状態：正面図、背面図）である。本実施形態における携帯電話１は、蓋部２と本体部３とからなる二つ折り構造である。スピーカ１０１は、蓋部２の前面側に設けられており、電話モードにおける通話時には音声出力を行なう。表示部（メイン表示部）１０２は、カラー液晶であり、ＱＶＧＡの解像度を有し、撮像した画像、動画やダウンロードした画像、動画を表示可能となっている。アンテナ１０３は、本体部の背面に設けられており、伸縮自在となっている。
【００３２】
カメラキー１０４は、電源オン状態におけるカメラモードへの移行、後述する撮像デバイス１３０、ＤＳＰ１２９の起動を指示するためのキーである。メールキー１０５は、メールモードへの移行、メールプログラムのロードを指示するためのキーである。十字キー１０６は、カーソルの移動、フォーカス（選択）の移動を指示するためのキーである。決定キー１０７は、モード選択を決定したり、選択を決定したりするためのキーである。アドレスキー１０８は、アドレス帳データを表示するためのキーである。
【００３３】
ネット接続キー１０９は、インターネットへ接続するためのキーである。クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行なうためのキーである。マイク１１４は、本体部の下部に設けられており、通話時における音声入力を行なう。
【００３４】
録音用マイク１１５は、音声メモや動画撮影時の音声などを入力する。サブ表示部１１６は、蓋部の背面に設けられており、携帯電話１が閉じられた状態において、日時表示や、着信報知、メール着信報知、静止画や動画撮影時の補助画面などに用いられる。報知用ＬＥＤ１１７は、着信報知、メール着信報知を行なう。
【００３５】
撮像レンズ１１８は、蓋部２の背面、上記サブ表示部１１６の下部に設けられており、静止画や動画を撮影する。本実施形態では、出発点から目的地までの経路が描かれた手書き地図を撮影する。フラッシュ用ＬＥＤ１１９は、静止画や動画撮影時に点灯し、露出不足を防止する。報知スピーカ１２０は、着信や緊急時などを報知するものであり、蓋部２を本体部３に閉じた状態でも報知音が聞こえるように、本体部３の裏面に配置されている。
【００３６】
次に、図２は、本実施形態によるカメラ付き携帯電話１の構成を示すブロック図である。図において、無線送受信部１２１は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行なう。
【００３７】
制御部１２２は、ＷＷＷ接続制御を含む当該機器を制御する。通信データ処理部１２２１は、ＣＬＥＰ系音声復号処理回路、パケットデータ生成回路、およびパケットデータ復元回路を含み、通信プロトコルに沿ったデータ処理を行なう。システムＲＯＭ１２２２は、当該携帯電話において、主に無線通信処理全般を制御するための基本システムプログラムを格納する。オーディオインターフェース１２２３は、通信データ処理部１２２１で処理される音声信号の入出力処理を行い、マイク１１４または録音用マイク１１５からの音声を入力して音声信号に変換して、音声信号をスピーカ１０１から出力する。
【００３８】
アドレスデータバス処理部１２３は、周辺回路（点線枠）とのデータの入出力タイミング等を制御・管理する。ＲＡＭ１２４は、アドレス帳データ、メールデータ等、電話モードにて使用するデータや、カメラモードにて撮影された画像データ、動画データ等、機器内で生成される各種データを記憶する。プログラムＲＯＭ１２５は、書換可能なＦｌａｓｈ  ＲＯＭで構成され、各種アプリケーションプログラムを格納する。
【００３９】
表示モジュール系ドライバ１２８は、サブ表示部１１６、メイン表示部１０２、ＬＥＤ１１７，１１９を駆動させる。音源ＩＣ１２６は、着信音などを生成する。アンプ１２７は、音源ＩＣ１２６からの音声信号を増幅し、スピーカ１２０から出力する。撮像デバイス１３０は、ＣＣＤ、若しくはＣＭＯＳで構成され、撮像レンズ１１８により集束された映像をカラー画像として取り込む。ＤＳＰ１２９は、撮像デバイス１３０にて取り込まれた画像を符号化処理する。
【００４０】
画像処理部１３１は、当該カメラ付き携帯電話１で撮影した動画、あるいはネットワークを介してダウンロードした動画に対して、オープニング、エンディング、あるいは２つの動画間に、段階的に動画が遷移していく映像効果を付加するトランジション効果を加えるべく、オリジナル動画の所定フレームを元に、トランジション効果に従った複数のフレーム（１５〜３０フレーム程度）を生成し、該フレームをエンコードすることによりトランジション動画を生成してオリジナル動画に結合することで、最終的にトランジション効果が加えられた１つの動画を作成する。
【００４１】
Ｂ．実施形態の動作
次に、上述した実施形態の動作について説明する。ここで、図３ないし図７は、本実施形態によるカメラ付き携帯電話１による動画編集の動作を説明するためのフローチャートである。また、図８ないし図１３は、本実施形態による動画編集時におけるカメラ付き携帯電話１の表示例を示す模式図である。
【００４２】
（１）動画選択
カメラ付き携帯電話１において、動画編集が選択されると、まず、図８に示すように、動画選択画面をメイン表示部１０２に表示する（Ｓ１０）。図８はこのケースにおける表示部１０２の表示態様を示したものであり、現在選択されているモードがムービーモードであることを示すアイコン１０２１、電波受信状態を示すアイコン１０２２、電池残量を示すアイコン１０２３、現在時刻１０２４が常時表示され、ＲＡＭ１２４に保存されている最大９つの動画ファイルの、先頭フレームのサムネイル１０２５がマルチ表示され、その下には、再生指示領域１０２６（カメラキー１０４の操作検出に対応）、解除表示領域１０２７（決定キー１０７の操作検出に対応）、及び、確定表示領域１０２８（アドレスキー１０８の操作検出に対応）が表示されている。また、サムネイル１０２５に表示される動画ファイルとしては、自機により撮影した動画ファイル、インターネットなどのネットワークを介してダウンロードした動画ファイルなどがある。ユーザは、選択画面から動画編集（トランジション効果）を行いたい動画を、十字キー１０６を操作して選択し、アドレスキー１０８を操作して決定する。
【００４３】
ユーザの選択操作を検出することにより、次に、動画選択画面から編集対象となる動画ファイルが選択されたか否かを判断する（Ｓ１２）。そして、動画ファイルが選択されると、図９に示すように、該当するサムネイルに選択番号を表示する（Ｓ１４）。選択可能な動画ファイルは、１つもしくは２つまでである。ユーザは、動画ファイルを選択した後、再度アドレスキー１０８を操作して、確定操作を行う。
【００４４】
ユーザの確定操作に伴い、選択画面において、確定操作が行われたか否かを判断する（Ｓ１６）。そして、動画ファイルが選択された後、確定操作が行われると、複数の動画ファイルが選択されたか否かを判断する（Ｓ１８）。動画ファイル一つが選択された場合には、後述するメッセージ入力へ進む。一方、２つの動画が選択された場合には、次の切り替えパターン選択へ進む。
【００４５】
（２）切り替えパターン選択
切り替えパターン選択では、図１０（ａ）または図１０（ｂ）に示す切り替えパターン選択画面（リスト、サムネイル）を表示する（Ｓ２０）。図１０（ａ）に示す切り替えパターン選択画面（リスト）には、２つの動画を切り替える際の切替パターンのリストが表示され、解除表示領域１０２７、確定表示領域１０２８に差替えて、ＯＫ表示領域１０２９（決定キー１０７の操作検出に対応）、及び、サムネイル表示指示領域１０３０（アドレスキー１０８の操作検出に対応）が表示されている。また、図１０（ｂ）に示す切り替えパターン選択画面（サムネイル）には、２つの動画を切り替える際の切替パターンのサムネイルが表示され、解除表示領域１０２７、確定表示領域１０２８に差替えて、ＯＫ表示領域１０２９（決定キー１０７の操作検出に対応）、及び、リスト表示指示領域１０３１（アドレスキー１０８の操作検出に対応）が表示されている。また、図示の例では、切替パターン（トランジション効果）として、チェック、ブラインド、クロス、円、Ｖ字、ラジアル、クロス（逆）およびクロックワークが用意されている。ここでは、第１の動画ファイルの最終フレームと、第２の動画ファイルの先頭フレームとを元に、第１の動画ファイルの最終フレームから切替パターンに従って第２の動画ファイルの先頭フレームへ遷移していく動画を生成する切替パターンを選択する。
【００４６】
次に、該切り替えパターン選択画面において、切り替え操作が行われたか否かを判断する（Ｓ２２）。そして、切り替え操作が行われた場合には、図１０（ａ）に示す切り替えパターン選択画面（リスト）と図１０（ｂ）に示す切り替えパターン選択画面（サムネイル）との間で選択画面を切り替える（Ｓ２４）。次に、切り替えパターン選択画面（リスト、サムネイル）において、切り替えパターンが選択されたか否かを判断し（Ｓ２６）、選択されなければ、ステップＳ２０へ戻り、切り替えパターンが選択されると、ステップＳ２８以降のメッセージ入力へ進む。
【００４７】
（３）メッセージ入力
次に、カメラ付き携帯電話１では、テンキー１１３の操作検出によってメッセージ入力するか否かを判断する（Ｓ２８）。そして、メッセージ入力が選択されなかった場合には、後述するオープニング編集へ進む。一方、ユーザがテンキー１１３を操作してメッセージ入力を選択すると、図１１に示すメッセージ入力画面を表示する（Ｓ３０）。メッセージ入力画面では、動画再生と同時にテロップ表示されるメッセージを入力することができる。次に、ユーザによりメッセージを入力した後、確定操作（アドレスキー１０８の操作）を行ったか否かを判断する（Ｓ３２）。そして、確定操作が行われると、次のオープニング編集へ進む。
【００４８】
（４）オープニング編集
オープニング編集へ進むと、まず、オープニング編集を行うか否かを判断する（Ｓ３４９）。オープニング編集は、選択されたオリジナル動画ファイルの先頭フレームを用いてトランジション効果を付加したトランジション動画を作成する処理であり、任意に選択可能である。ユーザがオープニング編集を選択しなかった場合には、後述するエンディング編集へ進む。
【００４９】
一方、ユーザがオープニング編集を選択した場合には、図１２（ａ）または図１２（ｂ）に示すオープニング選択画面（リスト、サムネイル）を表示する（Ｓ３６）。図１２（ａ）に示すオープニング選択画面（リスト）には、動画のオープニング時のトランジションパターンのリストが表示される。また、図１２（ｂ）に示すオープニング選択画面（サムネイル）には、オープニングのトランジションパターンのサムネイルが表示される。図示の例では、オープニングのトランジションパターンとして、幕オープニング、カチンコスタート、台形、残像、透視、チェック、ブラインドおよびクロスが用意されている。
【００５０】
次に、該オープニング選択画面において、切り替え操作が行われたか否かを判断する（Ｓ３８）。そして、切り替え操作が行われた場合には、図１２（ａ）に示すオープニング選択画面（リスト）と図１２（ｂ）に示すオープニング選択画面（サムネイル）との間で選択画面を切り替える（Ｓ４０）。次に、オープニング選択画面（リスト、サムネイル）において、トランジション効果が選択されたか否かを判断し（Ｓ４２）、選択されなければ、ステップＳ３６へ戻り、上述したオープニング選択を繰り返す。一方、トランジション効果が選択されると、ステップＳ４４以降のエンディング編集へ進む。
【００５１】
（５）エンディング編集
エンディング編集へ進むと、まず、エンディング編集を行うか否かを判断する（Ｓ４４）。エンディング編集は、選択されたオリジナル動画ファイルの最終フレームを用いてトランジション効果を付加したトランジション動画を作成する処理であり、上述したオープニング編集と同様に、任意に選択可能である。ユーザがエンディング編集を選択しなかった場合には、後述する再生処理（エンコード処理）へ進む。
【００５２】
一方、ユーザがエンディング編集を選択した場合には、図１３（ａ）または図１３（ｂ）に示すエンディング選択画面（リスト、サムネイル）を表示する（Ｓ４８）。図１３（ａ）に示すエンディング選択画面（リスト）には、エンディング時のトランジションパターンのリストが表示される。また、図１３（ｂ）に示すエンディング選択画面（サムネイル）には、エンディングのトランジションパターンのサムネイルが表示される。図示の例では、エンディングのトランジションパターンとして、幕オープニング、カチンコスタート、台形、残像、透視、チェック、ブラインドおよびクロスが用意されている。
【００５３】
次に、該エンディング選択画面において、切り替え操作が行われたか否かを判断する（Ｓ５０）。そして、切り替え操作が行われた場合には、図１３（ａ）に示すエンディング選択画面（リスト）と図１３（ｂ）に示すエンディング選択画面（サムネイル）との間で選択画面を切り替える（Ｓ５２）。次に、エンディング選択画面（リスト、サムネイル）において、トランジション効果が選択されたか否かを判断し（Ｓ５４）、選択されなければ、ステップＳ４８へ戻り、上述したエンディング選択を繰り返す。一方、トランジション効果が選択されると、ステップＳ５６以降の再生処理（エンコード処理）へ進む。
【００５４】
（６）再生処理
再生処理へ進むと、まず、再生を行うか否かを判断する（Ｓ５６）。そして、再生が指示されると、オリジナル動画ファイルの先頭フレームまたは最終フレームを取得する（Ｓ５８）。すなわち、１つの動画ファイルが選択され、オープニングでのトランジション効果が選択されている場合には、動画ファイルの先頭フレームを取得し、エンディングでのトランジション効果が選択されている場合には、動画ファイルの最終フレームを取得する。また、２つの動画ファイルが選択され、オープニングでのトランジション効果が選択されている場合には、第１番目の動画ファイルの先頭フレームを取得し、エンディングでのトランジション効果が選択されている場合には、第２番目の動画ファイルの最終フレームを取得し、さらに、切り替えパターンが選択されている場合には、第１番目の動画ファイルの最終フレームと第２番目の動画ファイルの先頭フレームと取得する。
【００５５】
次に、先頭フレームまたは最終フレームを元に、オープニング、エンディング、または切り替え部分におけるトランジション効果を加えたフレームを生成し（Ｓ６０）、トランジション効果を加えたフレームをエンコードする（Ｓ６２）。次に、所定のフレーム数だけ生成したか否かを判断する（Ｓ６４）。このとき、生成されるフレームは、５〜９フレーム程度とする。以下、所定のフレーム数（１５〜３０フレーム程度）を生成するまで、ステップＳ６０〜Ｓ６４を繰り返し実行する。そして、所定のフレーム数だけのトランジション効果を加えたフレームを作成すると、エンコードしたフレームのヘッダを調整し、トランジション動画を生成し（Ｓ６６）、オリジナル動画とトランジション動画とを結合する（Ｓ６８）。
【００５６】
ここで、図１４は、１つの動画に対して、オープニングまたはエンディング、あるいは双方にトランジション効果を加えた状態を示す概念図である。オリジナル動画ファイルに対して、オープニングにトランジション効果を加えた場合には、図１４（ａ）に示すような動画となり、エンディングにトランジション効果を加えた場合には、図１４（ｂ）に示すような動画となり、さらに、双方にトランジション効果を加えた場合には、図１４（ｃ）に示すような動画となる。
【００５７】
また、図１５は、２つの動画に対して、切り替え部分にトランジション効果を加えた状態、さらに、オープニングおよびエンディングにトランジション効果を加えた状態を示す概念図である。２つのオリジナル動画ファイルＡ，Ｂに対して、切り替え部分にトランジション効果を加えた場合には、図１５（ａ）に示すような動画となり、さらに、オープニングおよびエンディングにトランジション効果を加えた場合には、図１５（ｂ）に示すような動画となる。
【００５８】
次に、トランジション効果を加えた動画を再生する（Ｓ７０）。次に、ユーザにより保存（ファイル化）が指示されたか否かを判断し（Ｓ７２）、保存が指示されなければ、図３に示すステップＳ１８へ進み、トランジション効果の選択からやり直す。一方、保存が指示されれば、上記トランジション効果を加えた動画をファイル化してＲＡＭ１２４へ保存する（Ｓ７４）。そして、終了が指示されたか否かを判断し（Ｓ７６）、終了が指示されなければ、図３に示すステップＳ１０へ戻り、動画選択からやり直す。一方、終了が指示されれば、当該動画編集を終了する。
【００５９】
なお、上述した実施形態においては、トランジション効果を付加した動画ファイルを、図示しない着脱可能な外部記録媒体に保存するようにしてもよい。また、トランジション効果を付加した動画ファイルをメールに添付して送信するようにしてもよい。
また、上述した実施の形態では、カメラ（動画撮影機能）付携帯電話についてのものだが、半導体記憶媒体を備えたデジタルビデオカメラ（モーションＪＰＥＧによる動画撮影機能を備えるデジタルカメラ）や動画撮影機能を備えたＰＤＡ、あるいは、放送メディアを受信・記録できる各種電子機器にも本発明は適用できる。
【図面の簡単な説明】
【００６０】
【図１】本発明の実施形態によるカメラ付き携帯電話の外観図（開状態：正面図、背面図）である。
【図２】本実施形態によるカメラ付き携帯電話１の構成を示すブロック図である。
【図３】本実施形態によるカメラ付き携帯電話１による動画編集の動作を説明するためのフローチャートである。
【図４】本実施形態によるカメラ付き携帯電話１による動画編集の動作を説明するためのフローチャートである。
【図５】本実施形態によるカメラ付き携帯電話１による動画編集の動作を説明するためのフローチャートである。
【図６】本実施形態によるカメラ付き携帯電話１による動画編集の動作を説明するためのフローチャートである。
【図７】本実施形態によるカメラ付き携帯電話１による動画編集の動作を説明するためのフローチャートである。
【図８】本実施形態の動画編集処理における動画選択画面を示す模式図である。
【図９】本実施形態の動画編集処理における、動画のサムネイルに選択番号を表示する画面を示す模式図である。
【図１０】切り替えパターン選択画面（リスト、サムネイル）を示す模式図である。
【図１１】メッセージ入力画面を示す模式図である。
【図１２】オープニング選択画面（リスト、サムネイル）を示す模式図である。
【図１３】エンディング選択画面（リスト、サムネイル）を示す模式図である。
【図１４】１つの動画に対して、オープニングまたはエンディング、あるいは双方にトランジション効果を加えた状態を示す概念図である。
【図１５】２つの動画に対して、切り替え部分にトランジション効果を加えた状態、さらに、オープニングおよびエンディングにトランジション効果を加えた状態を示す概念図である。
【符号の説明】
【００６１】
１  携帯電話
２  蓋部
３  本体部
１０１  スピーカ
１０２  メイン表示部
１０３  アンテナ
１０４  カメラキー
１０５  メールキー
１０６  十字キー
１０７  決定キー
１０８  アドレスキー
１０９  ネット接続キー
１１０  クリアキー
１１１  オンフックキー
１１２  オフフックキー
１１３  テンキー
１１４  マイク
１１５  録音用マイク
１１６  サブ表示部
１１７  報知用ＬＥＤ
１１８  撮像レンズ
１１９  フラッシュ用ＬＥＤ
１２０  報知スピーカ
１２１  無線送受信部
１２２  制御部
１２３  アドレスデータバス処理部
１２４  ＲＡＭ
１２５  プログラムＲＯＭ
１２６  音源ＩＣ
１２７  アンプ
１２８  表示モジュール系ドライバ
１３０  撮像デバイス
１３１  画像処理部
１２２１  通信データ処理部
１２２３  オーディオインターフェース
１２２２  システムＲＯＭ
【図１】
2005117375.tif 000003
【図２】
2005117375.tif 000004
【図３】
2005117375.tif 000005
【図４】
2005117375.tif 000006
【図５】
2005117375.tif 000007
【図６】
2005117375.tif 000008
【図７】
2005117375.tif 000009
【図８】
2005117375.tif 000010
【図９】
2005117375.tif 000011
【図１０】
2005117375.tif 000012
【図１１】
2005117375.tif 000013
【図１２】
2005117375.tif 000014
【図１３】
2005117375.tif 000015
【図１４】
2005117375.tif 000016
【図１５】
2005117375.tif 000017